(57)【要約】      （修正有）【課題】１，１２５ＭＨｚ〜１，６７５ＭＨｚの周波数信号及び有線テレビの５ＭＨｚ〜１，００２ＭＨｚ周波数信号が相互干渉を生じることを防止することができるＭｏＣＡ遮断機能を有する分岐器を提供する。【解決手段】ＭｏＣＡ遮断機能を有する分岐器は、周波数信号を入力することに用いる低域通過フィルタリングユニット１０と、該周波数信号を出力することに用いる方向結合器２０と、その入力端が方向結合器２０の第２出力端に接続し、該周波数信号を第１数値減衰した後に出力することに用いる第１級分配器３０と、その入力端が第１級分配器３０の出力端に接続し、該周波数信号を第２数値減衰した後に少なくとも１つのクライアントコネクタ４８に出力することに用いる少なくとも１つの第２級分配器４０と、を含む。【選択図】図２
0003192341.tif 000002
【実用新案登録請求の範囲】
【請求項１】
その一端が主分岐ライン入力端に接続し、周波数信号を入力し、該周波数信号に対して低域通過フィルタリングを行うことに用いる低域通過フィルタリングユニットと、
その入力端が該低域通過フィルタリングユニットの出力端に接続し、その第１出力端が主分岐ライン出力端に接続し、該周波数信号を出力することに用いる方向結合器と、
その入力端が該方向結合器の第２出力端に接続し、該周波数信号を第１数値減衰した後に出力することに用いる第１級分配器と、
その入力端が該第１級分配器の出力端に接続し、該周波数信号を第２数値減衰した後に少なくとも１つのクライアントコネクタに出力することに用いる少なくとも１つの第２級分配器と、
を含むＭｏＣＡ遮断機能を有する分岐器。
【請求項２】
前記周波数信号は、5MHz〜1,002MHzである請求項１に記載のＭｏＣＡ遮断機能を有する分岐器。
【請求項３】
前記低域通過フィルタリングユニットは、更に少なくとも１つの低域通過フィルタを有し、その通過周波数帯域は、5MHz〜1,002MHzであり、その遮断周波数帯域は、1,125MHz〜1,675MHzである請求項１に記載のＭｏＣＡ遮断機能を有する分岐器。
【請求項４】
前記低域通過フィルタリングユニットは、多段階の低域通過フィルタが直列されてなり、各低域通過フィルタは、少なくとも１つのインダクタ、第１コンデンサの並列及び接地される第２コンデンサから構成される請求項３に記載のＭｏＣＡ遮断機能を有する分岐器。
【請求項５】
前記第１級分配器は、２つのコイル、２つのインダクタ、コンデンサ及び抵抗器から構成され、且つ該第１数値が3.5dBである請求項１に記載のＭｏＣＡ遮断機能を有する分岐器。
【請求項６】
前記第２級分配器は、２つのコイル、２つのインダクタ、コンデンサ及び抵抗器から構成され、且つ該第２数値が3.5dBである請求項１に記載のＭｏＣＡ遮断機能を有する分岐器。
【請求項７】
更に、その一端が該主分岐ライン入力端に接続し、他端が該主分岐ライン出力端に接続し、システム電源を該主分岐ライン出力端に接続することに用いられる抵抗コイルを有する請求項１に記載のＭｏＣＡ遮断機能を有する分岐器。
【請求項８】
前記クライアントコネクタが出力する周波数信号の周波数は、5MHz〜1,002MHz及び1,125MHz〜1,675MHzであり、そのうち、5MHz〜1,002MHzは、有線テレビ信号のアップロード及びダウンロードをさせることができ、1,125MHz〜1,675MHzは、２つのクライアント間に同軸ケーブルでマルチメディア連盟（ＭｏＣＡ）プロトコルにより通信を行わせることができる請求項１に記載のＭｏＣＡ遮断機能を有する分岐器。
【考案の詳細な説明】
【技術分野】
【０００１】
本考案は、分岐器に関し、特に、ＭｏＣＡ遮断機能を有する分岐器に関する。
【背景技術】
【０００２】
現在の屋内の有線テレビシステムは、使用者にケーブルモデム(cable modem)又はセットトップボックス(set top box)方式で分岐器（tap）、分配器(splitter)又は室内増幅器(house amplifier)によって有線テレビケーブルに接続させ、ビデオ信号（その周波数は約54MHz〜1000 MHz）をダウンロードするか、アップストリーム(upstream)方式でデータ（その周波数は約5MHz〜42MHz）を有線テレビシステムのホストコンピュータ中に伝送する。
【０００３】
同軸ケーブルマルチメディア連盟(Multimedia over Coaxial Alliance,略称MoCA)プロトコルは、新興プロトコルであり、それは、マルチメディアビデオ又はオーディオの現在の有線テレビの同軸ケーブル上における伝送を許可し、その通信周波数帯域は、1,125MHz〜1,675MHzである。
【０００４】
但し、現在の分岐器構造の設計は、5MHz〜1,002MHzの周波数信号を使用させ、ＭｏＣＡシステム中に使用する時、クライアント間の1,125MHz〜1,675MHzの周波数信号は、主分岐ライン入力端中に結合し、２つの周波数帯域の周波数信号を相互干渉(interference)させる可能性があり、更には、有線テレビの品質に影響を及ぼし、不足の箇所に属する。
【０００５】
図１ａ及び図１ｂを併せて参照し、そのうち、図１ａは、従来の分岐器の主分岐ライン入力端及び主分岐ライン出力端の挿入損失説明図であり、図１ｂは、従来の分岐器の主分岐ライン入力端及びクライアントコネクタの間の挿入損失説明図である。図１ａに示すように、従来の分岐器の主分岐ライン入力端及び主分岐ライン出力端の間は、▽2における挿入損失が-7.40dBであり、▽3における挿入損失が-7.78dBであり、▽4の挿入損失が-20.1dBである。図１ｂに示すように、従来の分岐器の主分岐ライン入力端及びクライアントコネクタの間は、▽2における挿入損失が-20.17dBであり▽3における挿入損失が-21.71dBであり、▽4における挿入損失が-36.13dBであり、その隔離度が良好でなく且つ1,125MHz〜1,675MHzの周波数信号をフィルタリングして除く目的を達成することができない。
【０００６】
上記の従来の分岐器の欠陥に対して、本考案は、ＭｏＣＡ遮断機能を有する分岐器を提供し、上記欠陥を改善する。
【先行技術文献】
【特許文献】
【０００７】
【特許文献１】特許公表２０１２−５２５７６４号公報
【考案の概要】
【考案が解決しようとする課題】
【０００８】
本考案の目的は、低域通過フィルタリングユニットを有し、該1,125MHz〜1,675MHzの周波数信号を効率的のフィルタリングし、該1,125MHz〜1,675MHzの周波数信号及び有線テレビの5MHz〜1,002MHz周波数信号が相互干渉を生じることを防止することができるＭｏＣＡ遮断機能を有する分岐器を提供することである。
【０００９】
本考案のもう１つの目的は、抵抗コイルを有し、システム電源を該主分岐ライン出力端中に接続することに用いるＭｏＣＡ遮断機能を有する分岐器を提供することである。
【課題を解決するための手段】
【００１０】
上記目的を達成する為、本願のＭｏＣＡ遮断機能を有する分岐器は、その一端が主分岐ライン入力端に接続し、周波数信号を入力し、該周波数信号に対して低域通過フィルタリングを行うことに用いる低域通過フィルタリングユニットと、その入力端が該低域通過フィルタリングユニットの出力端に接続し、その第１出力端が主分岐ライン出力端に接続し、該周波数信号を出力することに用いる方向結合器と、その入力端が該方向結合器の第２出力端に接続し、該周波数信号を第１数値減衰した後に出力することに用いる第１級分配器と、その入力端が該第１級分配器の出力端に接続し、該周波数信号を第２数値減衰した後に少なくとも１つのクライアントに出力することに用いる少なくとも１つの第２級分配器と、を少なくとも含む。
【考案の効果】
【００１１】
本願のＭｏＣＡ遮断機能を有する分岐器の実施により、それが低域通過フィルタリングユニットを有し、該1,125MHz〜1,675MHzの周波数信号を効率的にフィルタリングし、該1,125MHz〜1,675MHzの周波数信号と有線テレビの5MHz〜1,002MHzの周波数信号が相互干渉を発生すること防止することができ、また、それが抵抗コイルを有し、システム電源を該主分岐ライン入力端中に接続することに用いられる等の利点を有する。
【図面の簡単な説明】
【００１２】
【図１ａ】従来の分岐器の主分岐ライン入力端及び主分岐ライン出力端の間の挿入損失説明図である。
【図１ｂ】従来の分岐器の主分岐ライン入力端及びクライアントコネクタの間の挿入損失説明図である。
【図２】本願の好適実施例のＭｏＣＡ遮断機能を有する分岐器のブロック説明図である。
【図３】本願の好適実施例のＭｏＣＡ遮断機能を有する分岐器のブロック説明図である。
【図４】本願の第１級分配器の回路説明図である。
【図５ａ】本願の分岐器の主分岐ライン入力端及び主分岐ライン出力端の間の挿入損失説明図である。
【図５ｂ】本願の分岐器の主分岐ライン入力端及びクライアントコネクタの間の挿入損失説明図である。
【図６】本願の好適実施例の分岐器が更にプリント回路板を有する説明図である。
【図７】本願の好適実施例の分岐器が更に殻体を有する説明図である。
【考案を実施するための形態】
【００１３】
本考案の構造、特徴及びその目的を更に分かり易くする為、図面及び好適な具体的実施例により以下に詳細に説明する。
【００１４】
図２〜図４を併せて参照し、図２は、本願の好適実施例のＭｏＣＡ遮断機能を有する分岐器のブロック説明図を示し、図３は、本願の低域通過フィルタリングユニットの回路説明図であり、図４は、本願の第１級分配器の回路説明図である。
【００１５】
図に示すように、本考案のＭｏＣＡ遮断機能を有する分岐器は、低域通過フィルタリングユニット１０と、方向結合器２０と、第１級分配器３０と、少なくとも１つの第２級分配器４０を含んで構成される。
【００１６】
該低域通過フィルタリングユニット１０の一端は、主分岐ライン入力端５０に接続し、周波数信号を入力し、該周波数信号に対して低域通過フィルタリングを行うことに用い、そのうち、該主分岐ライン入力端５０は、これに制限するものではないが、例えば、有線テレビの同軸ケーブルコネクタであり、無線周波数（ＲＦ）信号をケーブル（図示せず）中に入力することに用い、その周波数は、これに限定するものではないが、例えば、5MHz〜1,002MHzである。そのうち、該低域通過フィルタリングユニット１０は、更に、少なくとも１つの低域通過フィルタ１１を有し、その通過周波数帯域は、これに限定するものではないが、例えば、5MHz〜1,002MHzであり、その遮断周波数帯域は、これに限定するものではないが、例えば、1,125MHz〜1,675MHzである。
【００１７】
該方向結合器２０の入力端は、該低域通過フィルタリングユニット１０の出力端に接続し、その第１出力端２１は、主分岐ライン出力端６０に接続し、該周波数信号を出力することに用いる。そのうち、該主分岐ライン出力端６０は、これに限定するものではないが、例えば、有線テレビの同軸ケーブルコネクタであり、無線周波数（ＲＦ）信号を該ケーブル（図示せず）中に出力することに用い、その周波数は、これに限定するものではないが、例えば、5MHz〜1,002MHzである。
【００１８】
該第１級分配器３０の入力端は、該方向結合器２０の第２出力端２２に接続し、該周波数信号を第１数値減衰後に出力することに用いる。そのうち、該第１数値は、これに限定するものではないが、例えば、3.5dBである。
【００１９】
該第２級分配器４０の入力端は、該第１級分配器３０の出力端に接続し、該周波数信号を第２数値減衰した後に少なくとも１つのクライアントコネクタ４８に出力することに用いる。そのうち、該第２数値は、これに限定するものではないが、例えば、3.5dBである。そのうち、該クライアントコネクタ４８が出力する周波数信号の周波数が5MHz〜1,002MHz及び1,125MHz〜1,675MHzであり、そのうち、5MHz〜1,002MHzが有線テレビ信号アップロード及びダウンロードに提供でき、1,125MHz〜1,675MHzは、２つのクライアント間に同軸ケーブルマルチメディア連盟(MoCA)プロトコルにより通信を行わせることができる。
【００２０】
また、本願のＭｏＣＡ遮断機能を有する分岐器は、更に、抵抗コイル７０を有し、その一端は、該主分岐ライン入力端５０に接続し、他端は、該主分岐ライン出力端６０に接続し、システム電源を該主分岐ライン出力端６０中に接続することに用いる。
【００２１】
図３に示すように、本願の低域通過フィルタリングユニット１０は、多段階低域通過フィルタ１１を直列してなり、各低域通過フィルタ１１は、少なくとも１つのインダクタ１１１と、第１コンデンサ１１２との並列及び接地された第２コンデンサ１１３から構成される。本実施例において、４段階の低域通過フィルタ１１が直列してなることを例として説明するが、これに限定するものではない。
【００２２】
図４に示すように、本願の第１級分配器３０は、２つのコイル３１，３２、２つのインダクタ３３，３４、コンデンサ３５及び抵抗器３６から構成され、そのうち、コイル３１の一端は、該方向結合器２０の第２出力端２２に接続し、コイル３１の他端は、グランドに接続される。コイル３２の一端は、該インダクタ３３の一端に接続し、コイル３２の他端は、該インダクタ３４の一端に接続する。該インダクタコンデンサ３５の一端は、該コイル３１２及びコイル３２３の中間に接続し、インダクタコンデンサ３５の他端は、グランドに接続する。該抵抗器３６の一端は、該インダクタ３３の他端に接続し、該抵抗器３６の他端は、該インダクタ３４の他端に接続し、該抵抗器３６の両端は、それぞれ該第２級分配器４０の入力端に接続する。そのうち、該第２級分配器４０は、第１級分配器３０と相似した構造を有するので、ここでは、重複して記載しない。
【００２３】
図５ａ〜図５ｂを併せて参照し、そのうち、図５ａは、本願の分岐器の主分岐ライン入力端及び主分岐ライン出力端間の挿入損失説明図である。図５ｂは、本願の分岐器の主分岐ライン入力端及びクライアントコネクタ間の入力損失説明図である。図５ａに示すように、本願のＭｏＣＡ遮断機能を有する分岐器の主分岐ライン出力端５０及び主分岐ライン出力端の間は、▽2での挿入損失が-3.77dBであり、▽3での挿入損失が-44.73dBであり、▽4での挿入損失が-51.08dBである。図５ｂに示すように、本願のＭｏＣＡ遮断機能を有する分岐器の主分岐ライン出力端５０及びクライアントコネクタ４８の間は、▽2での挿入損失が-21.29dBであり、▽3での挿入損失が-61.68dBであり、▽4での挿入損失が-82.80dBであり、図５ａ及び図５ｂは、図１ａ及び図１ｂの分岐器に比較し、本願の分岐器は、より良好な隔離度（40〜50dB）を有し、且つ該低域通過フィルタリングユニット１０により1,125MHz〜1,675MHzの周波数信号をフィルタリングして除く目的を達成することができる。
【００２４】
本願のＭｏＣＡ遮断機能を有する分岐器の動作原理は、例えば、動作時、該主分岐ライン入力端５０から入力された5MHz〜1,002MHzの有線テレビ周波数信号が該低域通過フィルタリングユニット１０のフィルタリングを経た後、該方向結合器２０を経て該主分岐ライン出力端６０及び該第１級分配器３０の入力端に出力することができる。該5MHz〜1,002MHzの周波数信号は、該第１級分配器３０及び該２級分配器４０の更なる減衰を経た後にその強度が約35dBできる（主分岐ライン入力端５０から該クライアントコネクタ４８の間）。２つのクライアントの間でＭｏＣＡプロトコルにより通信を行う時、その1,125MHz〜1,675MHzの周波数信号は、該第１級分配器３０及び該第２級分配器４０の接続を経て該方向結合器の第２出力端２２に出力される。該低域通過フィルタリングユニット１０のフィルタリングを経た後、該1,125MHz〜1,675MHzの周波数信号は、阻隔され、該主分岐ライン入力端５０中に進入することがなく、従って、該1,125MHz〜1,675MHzの周波数信号を効率的にフィルタリングし、該1,125MHz〜1,675MHzの周波数信号及び有線テレビの5MHz〜1,002MHzの周波数信号が相互干渉を発生することを防止することができる。
【００２５】
図６に示すように、本願のＭｏＣＡ遮断機能を有する分岐器は、更にプリント回路板８０を有し、該低域通過フィルタリングユニット１０、方向結合器２０、第１級分岐器３０及び少なくとも１つの第２級分配器４０等の部材を搭載する。
【００２６】
図７に示すように、また、本願のＭｏＣＡ遮断機能を有する分岐器は、更に、殻体９０を有し、該プリント回路板８０、主分岐ライン入力端５０、主分岐ライン出力端６０及びクライアントコネクタ４８等の部材を収容する。該殻体９０は、これに限定するものではないが、例えば、金属材質で形成される。従って、本願のＭｏＣＡ遮断機能を有する分岐器は、従来の分岐器に比較して進歩性を有する。
【００２７】
上記のように、本願のＭｏＣＡ遮断機能を有する分岐器の実施により、それが低域通過フィルタリングユニットを有し、該1,125MHz〜1,675MHzの周波数信号を効率的にフィルタリングし、該1,125MHz〜1,675MHzの周波数信号と有線テレビの5MHz〜1,002MHzの周波数信号が相互干渉を発生すること防止することができ、また、それが抵抗コイルを有し、システム電源を該主分岐ライン入力端中に接続することに用いられる等の利点を有し、従って、本は、従来の分岐器に比較して進歩性を有する。
【００２８】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２９】
１０  低域通過フィルタリングユニット
１１  低域通過フィルタ
１１１  インダクタ
１１２  第１コンデンサ
１１３  第２コンデンサ
２０  方向結合器
２１  第１出力端
２２  第２出力端
３０  第１級分配器
３１，３２  コイル
３３，３４  インダクタ
３５  コンデンサ
３６  抵抗器
４０  第２級分配器
４８  クライアントコネクタ
５０  主分岐ライン入力端
６０  主分岐ライン出力端
７０  抵抗コイル
８０  プリント回路板
９０  殻体
【図１ａ】
0003192341.tif 000003
【図１ｂ】
0003192341.tif 000004
【図２】
0003192341.tif 000005
【図３】
0003192341.tif 000006
【図４】
0003192341.tif 000007
【図５ａ】
0003192341.tif 000008
【図５ｂ】
0003192341.tif 000009
【図６】
0003192341.tif 000010
【図７】
0003192341.tif 000011